(57)【要約】【課題】キーボード操作を主体とするノートパソコンとタブレット型パソコンの両機能を併せ持つコンバーチブル型パソコンにおいて、タブレット方式での使用時には液晶表示面をキーボード面上に同一方向で蓋い重ねるための切替機構部の強度剛性の向上と薄型化を図ったコンバーチブル型タブレットパソコンを提供する。【解決手段】液晶表示部をその下端部の左右においてパソコン本体後端部と開閉可能に結合すると共に３６０度回転可能とした並行二軸ヒンジを支持する本体側の後端部分を本体とは分離した横桁状とし、その中央部でこれと直交する水平方向の回動軸を介して本体と回動可能に結合してストッパーで拘束する。タブレット方式での使用時には、液晶表示部を開閉ヒンジにより水平に約１８０度倒した上、前記のストッパー部を離脱させて回動軸周りに１８０度反転させた後、開閉ヒンジにより液晶表示面を上方に向けてキーボード面を蓋うように倒して使用する。【選択図】図１
2014085734.tif 000002
【特許請求の範囲】
【請求項１】
タッチパネル操作対応の液晶表示部、キーボードのあるノートパソコン本体部、該液晶表示部をパソコン本体部側に開閉可能に係合し、かつ任意の開閉角度で保持できる開閉回動摩擦力を付与され、液晶表示部とパソコン本体部の各後端部においてこれらに並行に各々の厚さ方向中心位置でその両端部を各々固定支持される第１軸と第２軸を有し、後者周りの回動抵抗がより大きくなるように付勢する弾性摩擦手段を各々の軸受け部に設け、液晶表示部の第１軸周りの回動可能角度をその折畳み位置から１８０度に制限し、また第１軸位置の第２軸周りの旋回可能角度を垂直方向上方から下方への１８０度に制限する各リミッター部を前記の液晶表示部及びパソコン本体部との間に各々設けた並行二軸型の開閉ヒンジ・モジュール、前記の開閉ヒンジ第２軸をパソコン本体部側後端の左右両側で固定支持する開閉ヒンジ支持桁、該支持桁とパソコン後端部をそれらの中央で直交する水平軸周りに前者が後者に対して回動可能に係合して電気ハーネスを通す中空軸からなる液晶表示部反転回動機構、前記の支持桁を水平位置に保持するためにパソコン本体部との間に設けた液晶表示部反転回動拘束機構、該支持桁の往復回動範囲を前記液晶表示部の表裏反転に対応する１８０度に制限し電気ハーネスの過大捩れを防止するためパソコン本体部との間に設けた液晶表示部反転回動リミッターから構成され、
キーボード方式での使用時には、液晶表示部を前記の開閉ヒンジ第１軸周りに開いて一般的な形態で使用し、タブレット方式での使用時には、液晶表示部をさらに開いて略水平に倒した上、液晶表示部反転回動拘束機構部の拘束を離脱させて前記の液晶表示部反転回動機構の回動軸周りに捩って表裏反転させた後、液晶表示面を上方に向けてキーボード面に蓋い重ねるようにして前記の開閉ヒンジ第２軸周りに倒して使用する方式により、液晶表示部の姿勢切替機構部を中央一点支持方式によらず強度剛性と耐久性を向上させ、薄型でキーボード面の保護と使用時の保持安定性を確保したことを特徴とするコンバーチブル型タブレットパソコン。
【請求項２】
開閉ヒンジ第１軸と第２軸の各中央部に形成したフリクション・シャフト、その円柱面に圧接されて回動摩擦力を発生するフリクション・シュー、前記の圧接力を付勢する弾性部材及びそのリテーナー、これらを保持して収納し軸受け機能を有するホルダーから構成され、該弾性部材の弾性特性ないし配置方法により、開閉ヒンジ各軸の回動摩擦力を液晶表示部が任意の開閉角度で保持され、かつ第２軸側が大きくなるように個別に付勢設定でき、
また、装着形態はパソコン後端の左右に２式または幅広型の単一装着の両形式に対応できることを特徴とする並行二軸型の開閉ヒンジ・モジュールを有する請求項１のコンバーチブル型タブレットパソコン。
【請求項３】
液晶表示部の開閉角度が０度及び１８０度の時に液晶表示部下端の開閉ヒンジ第１軸取付け用切欠き部の内外縁部が各々開閉ヒンジ・モジュールのホルダー上部の外周面両肩部の一方に当たって回動停止するようにスペーサー状の開閉リミッターを液晶表示部側の当該部に形成し、また、開閉ヒンジ第１軸位置の第２軸周りの旋回角度が垂直方向上方０度と下方１８０度の位置において開閉ヒンジ・モジュールのホルダー外表面が開閉ヒンジ支持桁の後端面に当たって旋回回動停止するようにリミッター機能を設けたことを特徴とする請求項１または請求項２に記載のコンバーチブル型タブレットパソコン。
【請求項４】
開閉ヒンジ支持桁を水平位置に保持するために、その左右両側でパソコン本体部側との間にボールプランジャーとその受け溝の組合せなどによる弾性ストッパーを装着し、液晶表示部の反転回動時には、液晶表示部反転回動機構周りへの捩り力による簡易操作でその拘束を離脱させる液晶表示部反転回動拘束機構を設けたことを特徴とする請求項１または請求項２または請求項３に記載のコンバーチブル型タブレットパソコン。
【発明の詳細な説明】
【技術分野】
【０００１】
本発明は、キーボード操作を主体とするノートパソコンとタッチパネル操作によるタブレット型パソコンの両機能を併せ持つコンバーチブル型パソコンにおける液晶表示部の姿勢切替機構の機能と強度剛性の向上及び薄型化を図ったコンバーチブル型タブレットパソコンに関するものである。
【背景技術】
【０００２】
キーボード操作を主体とするノートパソコンとタッチパネル操作によるタブレット型パソコンの両機能を併せ持つコンバーチブル型パソコンでは、感圧型の液晶表示部をキーボードのある本体側に結合するヒンジ機構部で反転させ、液晶表示面を上面にして折畳んだ形態でタブレット型として切替えて使用する方式が一般的である。
【０００３】
前記のヒンジ機構部は、水平方向及び垂直方向の直交する二軸の回動軸を有し、液晶表示部の下端中央部とパソコン本体部の後端中央部とをそのヒンジ機構によって一か所で結合した構成により、液晶表示部を前記の水平軸周りに開閉し、かつ垂直軸周りに反転させる方式が多い。
【０００４】
この方式では、液晶表示部下端とパソコン本体部後端の各中央部の一点のみで両者を結合した可動部になっているため、結合部の強度・剛性が大きくなく、とくにキーボード方式での使用時には液晶表示部がグラついて不安定であったり、耐久性に難がある傾向もある。
【０００５】
また、前記の直交二軸ヒンジ機構部の一方が液晶表示部側に結合されるため、薄型化が進む液晶表示部及びそれを折畳んだ全体の厚さが増大して携帯性を損なう傾向もある。  これを避けるためヒンジ機構部を小型化すると、その強度剛性がさらに低下する問題がある。
【０００６】
これらの問題を解決するため、液晶表示部とパソコン本体部との結合方式を一般的な左右一対配置の開閉ヒンジによることとし、そこに並行二軸型ヒンジを採用することにより、液晶表示部をパソコン本体部の裏側まで３６０度回転可能としてタブレット方式での使用を可能とする構成により、液晶表示部反転機構部の強度剛性の低下を避けると共に、全体の薄型化を図ったコンバーチブル型タブレットパソコンも製品化されている。
【０００７】
しかしながら、この方式では、液晶表示面を上面にして折畳まれた形態でタブレット方式により使用する場合、その裏側の底面側にキーボード面が露出する状態になる。  このため、キーの機能は一時的に無効化する手段を講じても、パソコン本体を腕や掌上で保持する際の安定性が低下する他、キーボードを圧迫して傷めたり、その隙間から本体内部を汚損して故障に繋がる恐れも高くなる。
【０００８】
これらの課題を解決した液晶表示部の姿勢切替機構を有し、堅固で耐久性があり、携帯使用時の保持安定性が良く、薄型で使い易いコンバーチブル型タブレットパソコンの出現が望まれる。
【先行技術文献】
【特許文献】
【０００９】
【特許文献１】特開  ２０１２−０９７８４６
【特許文献２】特開  ２０１０−１４０６３６
【特許文献３】特開  ２００８−２７５１３９
【特許文献４】特開  ２００８−０９５９３８
【特許文献５】特開  ２００７−１７７８２９
【特許文献６】特開  ２００５−１７２１３３
【特許文献７】特開  ２００４−３６０７５８
【特許文献８】特開  ２００２−１５５９２３
【特許文献９】実登  ３０８２７８４
【非特許文献】
【００１０】
【非特許文献１】なし
【発明の概要】
【発明が解決しようとする課題】
【００１１】
キーボード操作を主体とするノートパソコンとタッチパネル操作によるタブレット型パソコンの両機能を併せ持つコンバーチブル型パソコンにおいて、タブレット方式での使用時には液晶表示面をキーボード面上に同一方向で蓋い重ねることによって、キーボード面を保護すると共に保持し易く使い易い折畳み形態とするための液晶表示部の姿勢切替機構について、その強度剛性を向上すると共に全体の薄型化を図ったコンバーチブル型タブレットパソコンを提供する。
【課題を解決するための手段】
【００１２】
液晶表示部側をその下端部の左右両側においてパソコン本体後端部に開閉可能に結合する開閉ヒンジに並行二軸型ヒンジを採用して３６０度開閉回動可能とする。  この左右のヒンジ結合部を支持するパソコン本体側の後端部分を本体とは切り離した横桁状とし、その中央部においてこれと直交する水平方向の回動軸を介して本体と回動可能に結合する。  また、この開閉ヒンジ支持桁を水平位置で回動を拘束して保持するための拘束機構を本体との間に設ける。
タブレット方式での使用時には、液晶表示部をキーボード方式で閉じた状態から開閉ヒンジにより開いて水平に約１８０度倒した上で、前記の拘束機構による開閉ヒンジ支持桁の拘束部を離脱させ、前記の回動軸周りに１８０度表裏反転させた後、開閉ヒンジにより起立させ、液晶表示面を上方に向けてキーボード面を蓋うように倒して折畳んだ形態とし、パソコン本体の底面側を机上ないし腕や掌上で安定的に保持して使用する。
液晶表示部の姿勢切替機構部を中央一点支持方式によらず、左右両側で支持する一般的な開閉ヒンジ形態との組合せにより、姿勢切替機構部の小型化と強度剛性及び耐久性を確保し、薄型のコンバーチブル型タブレットパソコンを得た。
【発明の効果】
【００１３】
本発明のコンバーチブル型タブレットパソコンによれば、タブレット方式での使用時には、液晶表示面がキーボード面上に同一方向を向いて蓋い重なる形で折畳まれるため、キーボード面が外部から保護されると共に、本体底面側を机上ないし腕や掌上で安定的に保持して使用できる。
液晶表示部の開閉ヒンジには並行二軸型ヒンジを採用し、一般的なノートパソコンの形態と同様にその下端部の左右２ヶ所で支持すると共に、液晶表示面の反転回動機構とその拘束手段は、薄型の液晶表示部側を避けて本体側に設けたことにより、液晶表示部をパソコン本体後端の中央部一か所で直交二軸ヒンジにより結合する方式に比べて液晶表示部の姿勢切替機構の強度剛性が向上し、使用時の液晶表示部のグラつきや不安定さが解消して耐久性が向上すると共に、パソコン全体の厚さの増加も避けられ、薄型化と携帯性が確保できる。  また、キーボード方式とタブレット方式との液晶表示部姿勢の切替え操作も容易である。
本発明では、一般的なノートパソコンの液晶表示部側の支持構造は基本的に維持したまま、本体側の一部構造変更と比較的簡単な構成で実現できるため広く適用性がある。
【図面の簡単な説明】
【００１４】
【図１】図１は本発明によるパソコンの液晶表示部を全開した全体概要を示す。
【図２】図２は図１のＡ部の液晶表示部反転回動拘束機構の部分断面拡大図を示す。
【図３】図３は図１のＢ部の液晶表示部反転回動機構の断面拡大図を示す。
【図４】図４は本発明によるパソコンの液晶表示部の反転回動過程を示す。
【図５】図５は本発明によるパソコンの液晶表示部の反転状態を示す。
【図６】図６は本発明によるパソコンの液晶表示部の上向き折畳み過程を示す。
【図７】図７は本発明によるパソコンのタブレット方式での折畳み状態を示す。
【図８】図８は本発明における並行二軸型開閉ヒンジの作動形態を示す後方視図。
【図９】図９は本発明における並行二軸型開閉ヒンジの幅広型の単一装着例を示す。
【図１０】図１０は本発明における並行二軸型開閉ヒンジのキーボード方式からタブレット方式への切替え時の作動形態を示す側面視図。
【図１１】図１１は本発明における並行二軸型開閉ヒンジのタブレット方式からキーボード方式への切替え時の作動形態を示す側面視図。
【図１２】図１２は本発明における液晶表示部開閉リミッターの一例を示す部分断面図。
【図１３】図１３は本発明における並行二軸型開閉ヒンジの側面一部（図14 Y-Y'断面）カットアウト視図。
【図１４】図１４は本発明における並行二軸型開閉ヒンジの正面（図13 X-X'断面）カットアウト視図。
【発明を実施するための形態】
【００１５】
本発明によるコンバーチブル型タブレットパソコンの全体構成の概要を図１に示す。  液晶表示部１はその下端部1Bの左右両側において、並行二軸型の開閉ヒンジ・モジュール３により開閉ヒンジ支持桁４を介してパソコン本体部２に対して開閉可能に結合される。  
開閉ヒンジ支持桁４とパソコン本体部２の後端部2Bは各々の中央部においてこれらに垂直で水平方向の回動軸を有する液晶表示部反転回動機構５により、液晶表示部１が表裏１８０度往復反転回動可能に結合される。
【００１６】
液晶表示部１の反転回動角をその表裏に対応する０度と１８０度の水平位置で保持するため、開閉ヒンジ支持桁４とパソコン本体部２の後端部2Bの左右（図１のＡ部）に設けられる液晶表示部反転回動拘束機構６の一例の部分断面拡大図を図２に示す。
【００１７】
液晶表示部反転回動機構５の詳細断面を図１のＢ部拡大図として図３に示す。
液晶表示部反転回動軸51の中空部にはパソコン本体側と液晶表示部側を接続する電気ハーネス54が通される。  液晶表示部1の反転回動角はリミッター機構により０度から１８０度の範囲に制限されるため、回動による電気ハーネス54の捩れは一定範囲内に抑えることができる。
【００１８】
液晶表示部１の姿勢をキーボード方式の使用形態で折畳んだ状態からタブレット方式の使用形態に反転させて切り替えるプロセスを図１及び図４から図７に示す。  液晶表示部１を図１のように開閉ヒンジにより約１８０度水平に開いた後、液晶表示部反転回動機構５により、図４及び図５のように液晶表示面を表裏１８０度反転させる。  このとき、開閉ヒンジ支持桁４の左右の一方に形成した液晶表示部反転回動リミッター通過切欠き部43がパソコン本体部２の左右に設けた液晶表示部反転回動リミッター22をすり抜けることにより０度から１８０度の制限範囲内での液晶表示部側の往復反転回動が可能となる。
【００１９】
液晶表示部１をキーボード方式での折畳み状態からタブレット方式の折畳み姿勢に切り替えるプロセスと開閉ヒンジ・モジュール３及び開閉ヒンジ支持桁４の動きの後方視図を図８に、後部側面視図を図１０に各々示す。
逆に、タブレット方式での折畳み状態からキーボード方式での折畳み姿勢に切り替える場合の後部側面視図を図１１に示す。
液晶表示部側の第１ヒンジ軸31及びパソコン本体（開閉ヒンジ支持桁）側の第２ヒンジ軸32は、液晶表示部及びパソコン本体（開閉ヒンジ支持桁）の各々の厚さ方向の中間位置で各々に結合固定される。
【００２０】
液晶表示部側の第１ヒンジ軸31周りとパソコン本体（開閉ヒンジ支持桁）側の第２ヒンジ軸32周りの各々の回動摩擦力は、いずれも液晶表示部を任意の開閉角度で保持できる大きさを各々に対する回動摩擦力発生機構によって付与するが、後者がより大きくなるように設定する。
これにより、液晶表示部側が折畳み状態の０度から全開状態の１８０度の範囲内では第１ヒンジ軸周りに往復開閉回動し、その範囲を超える場合はリミッター機構により第１ヒンジ軸周りの回動は停止し、第２ヒンジ軸周りにその垂直上方の０度から下方に１８０度のリミッター機構による制限範囲内で開閉ヒンジ・モジュール３とその中に支持された第１ヒンジ軸の位置が往復旋回回動する。
【００２１】
液晶表示部１の開閉角度が折畳み状態の０度から全開状態の１８０度の範囲を超えないよう第１ヒンジ軸31周りの開閉回動を制限するリミッター機構の一例を図１２に示す。
液晶表示部下端部の第１ヒンジ軸取付け用切欠き部の内外縁部がそれぞれ開閉角度０度と１８０度において開閉ヒンジ・モジュール３のホルダー34上部の外周面両肩部に当たって液晶表示部が回動停止するようにスペーサー部を液晶表示部側に設けて、開リミッター12及び閉リミッター13を形成している。
第２ヒンジ軸32側については、開閉ヒンジ・モジュール３をそのホルダー34の並行部外表面がその垂直方向上方の０度と下方の１８０度の姿勢時に開閉ヒンジ支持桁４の後端面に当たってその旋回回動が停止するように装着することでリミッター機能を果たす。
【００２２】
並行二軸型の開閉ヒンジ・モジュール３の構成と第１ヒンジ軸31及び第２ヒンジ軸32周りの回動摩擦力の発生機構の一例を図１３の側面一部カットアウト視図に示す。  また、その正面カットアウト視図を図１４に示す。
第１ヒンジ軸31及び第２ヒンジ軸32は、各々、液晶表示部側の開閉ヒンジ取付け部11及び開閉ヒンジ支持桁側の開閉ヒンジ取付け部41に対して相対回転止め手段を介して結合される。
ホルダー部34によって支持される各ヒンジ軸の中央部はフリクション・シャフト部31a,32aを形成し、フリクション・スプリング31c,32cによって、各フリクション・シャフトの円柱面に圧接されるフリクション・シュー31b,32bとの摩擦力により各ヒンジ軸の回動抵抗が付与される。  スプリングの弾性特性や設置数などにより、第２ヒンジ軸側の回動抵抗を第１ヒンジ軸側より大きくなるように設定する。
【００２３】
液晶表示部側とパソコン本体部側とを接続する電気ハーネス54は、本発明による並行二軸型開閉ヒンジ部においても一般的なパソコンの開閉ヒンジ部と同様にヒンジ軸内の中空孔またはその外周部を経由して艤装配置する。
【実施例】
【００２４】
液晶表示部１をその下端部1Bと開閉ヒンジ支持桁４の左右両側で開閉可能に結合する開閉ヒンジ・モジュール３は、図１の実施例のように２式を左右一対で装着する形態と図９の実施例のように幅広型のモジュールを単一で装着する形態がある。
【００２５】
開閉ヒンジ支持桁４とパソコン本体部２との間に設ける液晶表示部反転回動拘束機構６は、図２の実施例に示すボールプランジャー61や板バネとその受け溝の組合せなどによる弾性回動ストッパーの他、固定ピンや固定金具による方式もある。  また、その装着方法も図２の位置と方向に限定されず、装着形態もボールプランジャーをパソコン本体側とする構成もある。
【００２６】
液晶表示部反転回動機構５の中空回動軸51をパソコン本体２側に固定し、開閉ヒンジ支持桁４側を嵌め合い回動側とする図３の実施例とは逆の装着方法もある。
【００２７】
液晶表示部反転回動リミッター22をパソコン本体２側に形成し、液晶表示部反転回動リミッター通過切欠き部43を開閉ヒンジ支持桁４側に設ける図１及び図４の実施例とは逆の設置形態もある。
【００２８】
開リミッター12及び閉リミッター13を図１２の方式で形成する実施例の他、第１ヒンジ軸フリクション・シャフト31a表面に設けた円周方向切り欠き部の両端とホルダー34内面に形成する凸部との当たりによるストッパー機能により、液晶表示部１側の開閉回動角を０度から１８０度の範囲に制限する回動リミッターを形成する方式もある。
【００２９】
第１ヒンジ軸及び第２ヒンジ軸のフリクション・スプリング31c及び32cは、図１４の実施例に示すコイルスプリングに限らず、板バネやゴムブロックなどの弾性体でも良い。  またスプリング・リテーナー33の形状や保持方式も図１４の形態に限るものではない。
【産業上の利用可能性】
【００３０】
携帯用の比較的小型・薄型のコンバーチブル型タブレットパソコンに限らず、机上での使用が中心のノート型パソコンをタブレット方式でも使用する場合にも適用できる。  また、液晶表示部がタブレット方式でなくとも、ノートパソコンの液晶表示面を反転させて立てた状態で相手側に見せながらプレゼンテーションなどを行う用途にも使用できる。
【符号の説明】
【００３１】
１．液晶表示部
1A  液晶表示面（タッチパネル操作対応）
1B  下端部
1C  天板部
11  開閉ヒンジ（第１ヒンジ軸）取付け部（左右）
12  開リミッター
13  閉リミッター
２．パソコン本体部
2A  キーボード面
2B  後端部
2C  底面
21  弾性回動ストッパー受け溝（左右）
22  液晶表示部反転回動リミッター（左右）
３．開閉ヒンジ・モジュール（並行二軸型ヒンジ）
31  第１ヒンジ軸（液晶表示部側）
31a 第１ヒンジ軸フリクション・シャフト
31b 第１ヒンジ軸フリクション・シュー
31c 第１ヒンジ軸フリクション・スプリング
32  第２ヒンジ軸（パソコン本体部側）
32a 第２ヒンジ軸フリクション・シャフト
32b 第２ヒンジ軸フリクション・シュー
32c 第２ヒンジ軸フリクション・スプリング
33  スプリング・リテーナー
34  ホルダー
４．開閉ヒンジ支持桁
41  開閉ヒンジ（第２ヒンジ軸）取付け部（左右）
42  液晶表示部反転回動軸嵌合部
43  液晶表示部反転回動リミッター通過切欠き部
５．液晶表示部反転回動機構
51  液晶表示部反転回動軸（中空回動軸）
52  開閉ヒンジ支持桁装着押え部
53  低摩擦シール
54  電気ハーネス
６．液晶表示部反転回動拘束機構（左右）
61  弾性回動ストッパー（ボールプランジャー）（左右）
62  埋め込み装着穴（左右）
【図１】
2014085734.tif 000003
【図２】
2014085734.tif 000004
【図３】
2014085734.tif 000005
【図４】
2014085734.tif 000006
【図５】
2014085734.tif 000007
【図６】
2014085734.tif 000008
【図７】
2014085734.tif 000009
【図８】
2014085734.tif 000010
【図９】
2014085734.tif 000011
【図１０】
2014085734.tif 000012
【図１１】
2014085734.tif 000013
【図１２】
2014085734.tif 000014
【図１３】
2014085734.tif 000015
【図１４】
2014085734.tif 000016
【手続補正書】
【提出日】平成24年10月27日(2012.10.27)
【手続補正１】
【補正対象書類名】特許請求の範囲
【補正対象項目名】全文
【補正方法】変更
【補正の内容】
【特許請求の範囲】
【請求項１】
タッチパネル操作対応の液晶表示部、キーボードのあるノートパソコン本体部、該液晶表示部をパソコン本体部側に開閉可能に係合し、かつ任意の開閉角度で保持できる開閉回動摩擦力を付与され、液晶表示部とパソコン本体部の各後端部においてこれらに並行に各々の厚さ方向中心位置でその両端部を各々固定支持される第１軸と第２軸を有し、後者周りの回動抵抗がより大きくなるように付勢する弾性摩擦手段を各々の軸受け部に設け、液晶表示部の第１軸周りの回動可能角度をその折畳み位置から１８０度に制限し、また第１軸位置の第２軸周りの旋回可能角度を垂直方向上方から下方への１８０度に制限する各リミッター部を前記の液晶表示部及びパソコン本体部との間に各々設けた並行二軸型の開閉ヒンジ・モジュール、前記の開閉ヒンジ第２軸をパソコン本体部側後端の左右両側で固定支持する開閉ヒンジ支持桁、該支持桁とパソコン後端部をそれらの中央で直交する水平軸周りに前者が後者に対して回動可能に係合して電気ハーネスを通す中空軸からなる液晶表示部反転回動機構、前記の支持桁を水平位置に保持するためにパソコン本体部との間に設けた液晶表示部反転回動拘束機構、該支持桁の往復回動範囲を前記液晶表示部の表裏反転に対応する１８０度に制限し電気ハーネスの過大捩れを防止するためパソコン本体部との間に設けた液晶表示部反転回動リミッターから構成され、
キーボード方式での使用時には、液晶表示部を前記の開閉ヒンジ第１軸周りに開いて一般的な形態で使用し、タブレット方式での使用時には、液晶表示部をさらに開いて略水平に倒した上、液晶表示部反転回動拘束機構部の拘束を離脱させて前記の液晶表示部反転回動機構の回動軸周りに捩って表裏反転させた後、液晶表示面を上方に向けてキーボード面に蓋い重ねるようにして前記の開閉ヒンジ第２軸周りに倒して使用する方式により、液晶表示部の姿勢切替機構部を中央一点支持方式によらず強度剛性と耐久性を向上させ、薄型でキーボード面の保護と使用時の保持安定性を確保したことを特徴とするコンバーチブル型タブレットパソコン。
【請求項２】
開閉ヒンジ第１軸と第２軸の各中央部に形成したフリクション・シャフト、その円柱面に圧接されて回動摩擦力を発生するフリクション・シュー、前記の圧接力を付勢する弾性部材及びそのリテーナー、これらを保持して収納し軸受け機能を有するホルダーから構成され、該弾性部材の弾性特性ないし配置方法により、開閉ヒンジ各軸の回動摩擦力を液晶表示部が任意の開閉角度で保持され、かつ第２軸側が大きくなるように個別に付勢設定でき、
また、装着形態はパソコン後端の左右に２式または幅広型の単一装着の両形式に対応できることを特徴とする並行二軸型の開閉ヒンジ・モジュールを有する請求項１のコンバーチブル型タブレットパソコン。
【請求項３】
液晶表示部の開閉角度が０度及び１８０度の時に液晶表示部下端の開閉ヒンジ第１軸取付け用切欠き部の内外縁部が各々開閉ヒンジ・モジュールのホルダー上部の外周面両肩部の一方に当たって回動停止するようにスペーサー状の開閉リミッターを液晶表示部側の当該部に形成し、また、開閉ヒンジ第１軸位置の第２軸周りの旋回角度が垂直方向上方０度と下方１８０度の位置において開閉ヒンジ・モジュールのホルダー外表面が開閉ヒンジ支持桁の後端面に当たって旋回回動停止するようにリミッター機能を設けたことを特徴とする請求項１または請求項２に記載のコンバーチブル型タブレットパソコン。
【請求項４】
開閉ヒンジ支持桁を水平位置に保持するために、その左右両側でパソコン本体部側との間にボールプランジャーとその受け溝の組合せなどによる弾性ストッパーを装着し、液晶表示部の反転回動時には、液晶表示部反転回動機構周りへの捩り力による簡易操作でその拘束を離脱させる液晶表示部反転回動拘束機構を設けたことを特徴とする請求項１または請求項２または請求項３に記載のコンバーチブル型タブレットパソコン。
【請求項５】
並行二軸型開閉ヒンジ・モジュールの第１軸及び第２軸のフリクション・シャフト部外周面において円周方向に一定の中心角部分を残した溝部を形成し、該開閉ヒンジ・モジュールの軸受け側であるホルダーの各軸側内周面の上底部及び下底部に突起状のストッパー部をその中心角が前記の中心角部分と補角関係となるように形成し、第１軸側では液晶表示部の開閉角度が０度及び１８０度の時に、第２軸側では第１軸位置の第２軸周りの旋回角度が垂直方向上方０度と下方１８０度の位置において、前記の溝部とストッパー部の各々の円周方向両端面の一方が互いに衝止して各軸周りの回動が停止するような位相で液晶表示部及びパソコン本体側に各軸を固定装着してリミッター機能を設けたことを特徴とする請求項１または請求項２または請求項４に記載のコンバーチブル型タブレットパソコン。
【手続補正２】
【補正対象書類名】明細書
【補正対象項目名】００１４
【補正方法】変更
【補正の内容】
【００１４】
【図１】本発明によるパソコンの液晶表示部を全開した全体概要を示す。
【図２】図１のＡ部の液晶表示部反転回動拘束機構の部分断面拡大図を示す。
【図３】図１のＢ部の液晶表示部反転回動機構の断面拡大図を示す。
【図４】本発明によるパソコンの液晶表示部の反転回動過程を示す。
【図５】本発明によるパソコンの液晶表示部の反転状態を示す。
【図６】本発明によるパソコンの液晶表示部の上向き折畳み過程を示す。
【図７】本発明によるパソコンのタブレット方式での折畳み状態を示す。
【図８】本発明における並行二軸型開閉ヒンジの作動形態を示す後方視図。
【図９】本発明における並行二軸型開閉ヒンジの幅広型の単一装着例を示す。
【図１０】本発明における並行二軸型開閉ヒンジのキーボード方式からタブレット方式への切替え時の作動形態を示す側面視図。
【図１１】本発明における並行二軸型開閉ヒンジのタブレット方式からキーボード方式への切替え時の作動形態を示す側面視図。
【図１２】本発明における液晶表示部開閉リミッターの一例を示す部分断面図。
【図１３】本発明における並行二軸型開閉ヒンジの側面一部（図１４ Y-Y’断面）カットアウト視図。
【図１４】本発明における並行二軸型開閉ヒンジの正面（図１３ X-X’断面）カットアウト視図。
【図１５】本発明における液晶表示部反転回動拘束機構の他の実施例の部分断面拡大図。
【図１６】本発明における並行二軸型開閉ヒンジの各軸周りの回動リミッター機構の他の実施例と作動形態を示す側面部分断面図。
【図１７】本発明における並行二軸型開閉ヒンジの各軸周りの回動リミッター機構とフリクション機構の他の実施例を示す側方断面視図。
【図１８】本発明における並行二軸型開閉ヒンジの各軸周りの回動リミッター機構とフリクション機構の他の実施例を示す正面カットアウト視図。 
【手続補正３】
【補正対象書類名】明細書
【補正対象項目名】００２５
【補正方法】変更
【補正の内容】
【００２５】
開閉ヒンジ支持桁４とパソコン本体部２との間に設ける液晶表示部反転回動拘束機構６は、図２及び図１５の実施例に示すボールプランジャー61や板バネとその受け溝の組合せなどによる弾性回動ストッパーの他、固定ピンや固定金具による方式もある。  また、その装着方法も図２の位置と方向に限定されず、装着形態もボールプランジャーなどをパソコン本体側とする構成もある。
【手続補正４】
【補正対象書類名】明細書
【補正対象項目名】００２８
【補正方法】変更
【補正の内容】
【００２８】
開リミッター12及び閉リミッター13を図１２の方式で形成する実施例の他、図１６、図１７及び図１８のように第１ヒンジ軸フリクション・シャフト31a表面に設けた円周方向切り欠き部の両端とホルダー34内面上底部に形成する凸部の各々がなす中心角が互いに補角関係になるようにこれらを形成することにより、それらの円周方向両端面の一方の相手方端面との当たりによるストッパー機能により、液晶表示部１側の開閉回動角を０度から１８０度の範囲に制限する回動リミッターを形成する方式もある。
同様にして、第２ヒンジ軸に対する第１ヒンジ軸及び開閉ヒンジ・モジュールの旋回運動を垂直方向上方０度から下方１８０度に制限するリミッター機構も併せて形成できる。
【手続補正５】
【補正対象書類名】明細書
【補正対象項目名】００２９
【補正方法】変更
【補正の内容】
【００２９】
第１ヒンジ軸及び第２ヒンジ軸のフリクション・スプリング31c及び32cは、図１４の実施例に示すコイルスプリングに限らず、図１７及び図１８に示すような板バネやゴムブロックなどの弾性体でも良い。  またスプリング・リテーナー33の形状や保持方式も図１４の形態に限るものではない。
【手続補正６】
【補正対象書類名】図面
【補正対象項目名】図１５
【補正方法】追加
【補正の内容】
【図１５】
2014085734.tif 000017
【手続補正７】
【補正対象書類名】図面
【補正対象項目名】図１６
【補正方法】追加
【補正の内容】
【図１６】
2014085734.tif 000018
【手続補正８】
【補正対象書類名】図面
【補正対象項目名】図１７
【補正方法】追加
【補正の内容】
【図１７】
2014085734.tif 000019
【手続補正９】
【補正対象書類名】図面
【補正対象項目名】図１８
【補正方法】追加
【補正の内容】
【図１８】
2014085734.tif 000020
【手続補正書】
【提出日】平成24年11月7日(2012.11.7)
【手続補正１】
【補正対象書類名】図面
【補正対象項目名】図１５
【補正方法】変更
【補正の内容】
【図１５】
2014085734.tif 000021
【手続補正２】
【補正対象書類名】図面
【補正対象項目名】図１６
【補正方法】変更
【補正の内容】
【図１６】
2014085734.tif 000022
【手続補正３】
【補正対象書類名】図面
【補正対象項目名】図１７
【補正方法】変更
【補正の内容】
【図１７】
2014085734.tif 000023
【手続補正４】
【補正対象書類名】図面
【補正対象項目名】図１８
【補正方法】変更
【補正の内容】
【図１８】
2014085734.tif 000024